【手続補正書】
【提出日】平成16年2月17日(2004.2.17)
【手続補正１】
【補正対象書類名】明細書
【補正対象項目名】全文
【補正方法】変更
【補正の内容】
【発明の名称】パンツ型の使い捨て着用物品
【特許請求の範囲】
【請求項１】互いに対向する前後胴周り域およびそれら胴周り域の間に位置する股下域を画成するシート部材と、前記股下域を中心に前記前後胴周り域へ向かって延びる吸液性部材とから構成され、胴周り開口と、前記胴周り開口の下方に一対の脚周り開口とを有し、前記前後胴周り域の少なくとも一方を胴周り方向へ延びる複数条の胴周り用弾性部材が、前記胴周り開口の縁部と前記股下域との間を縦方向へ所与寸法離間して並ぶとともに、前記シート部材に伸長状態で取り付けられ、前記胴周り用弾性部材の収縮によって前記シート部材に多数の襞が形成されたパンツ型の使い捨て着用物品において、
前記襞は、前記シート部材が前記胴周り方向へ交互に起伏を繰り返すことにより形成され、前記襞が、前記胴周り開口から前記股下域へ向かって前記縦方向へ実質的に連続かつ前記胴周り用弾性部材と略直交して延びるとともに、前記胴周り方向へ略等間隔で並んでいることを特徴とする前記物品。
【請求項２】前記胴周り用弾性部材が、前記シート部材の起伏に沿って前記胴周り方向へ交互に起伏を繰り返し、前記胴周り用弾性部材が位置する前記襞の頂部から底部までの最大高さ寸法が、前記胴周り用弾性部材の間に延びる前記襞の頂部から底部までの最大高さ寸法よりも小さい請求項１記載の物品。
【請求項３】前記襞の頂部と底部とが、前記胴周り方向へ実質的に円弧を画いている請求項１または請求項２に記載の物品。
【請求項４】前記胴周り方向へ隣り合う前記襞の頂部の間の離間寸法が、３〜３０ｍｍの範囲にある請求項１ないし請求項３いずれかに記載の物品。
【請求項５】前記胴周り用弾性部材が位置する前記襞の頂部から底部までの前記最大高さ寸法が、１〜３ｍｍの範囲にあり、前記胴周り用弾性部材の間に延びる前記襞の頂部から底部までの前記最大高さ寸法が、３〜１０ｍｍの範囲にある請求項２ないし請求項３いずれかに記載の物品。
【請求項６】前記胴周り用弾性部材が、前記胴周り開口の縁部に略並行して延び、前記縦方向に隣り合う前記胴周り用弾性部材どうしの離間寸法が、３〜３０ｍｍの範囲にある請求項１ないし請求項５いずれかに記載の物品。
【請求項７】前記シート部材の前記胴周り用弾性部材を取り付けた部位における収縮率が、単位長さ当たり３５〜８０％の範囲にある請求項１ないし請求項６いずれかに記載の物品。
【請求項８】前記シート部材が、肌当接側に位置する透液性表面シートと、肌非当接側に位置する不透液性裏面シートとから形成され、前記吸液性部材が、前記表面シートと前記裏面シートとの間に介在し、前記吸液性部材の非存在領域では、前記襞が前記胴周り開口から前記股下域へ向かって前記縦方向へ実質的に連続かつ前記胴周り用弾性部材と略直交して延びるとともに、前記胴周り方向へ略等間隔で並んでいる請求項１ないし請求項７いずれかに記載の物品。
【発明の詳細な説明】
【０００１】
【発明の属する技術分野】
本発明は、排泄物を吸収、保持するパンツ型の使い捨て着用物品に関する。
【０００２】
【従来の技術】
透液性表面シートと、不透液性裏面シートと、それらシートの間に介在する吸液性コアとから構成され、互いに対向する前胴周り域および後胴周り域と、それら胴周り域の間に位置する股下域とを備え、前後胴周り域を胴周り方向へ延びる複数条の胴周り用弾性部材が、胴周り開口の縁部と股下域との間を縦方向へ所与寸法離間して並ぶとともに、表裏面シートのうちの少なくとも裏面シートに伸長状態で取り付けられたパンツ型の使い捨て着用物品は公知である。
【０００３】
この物品では、前後胴周り域の互いに重なり合う胴周り側部が連結され、胴周り開口と一対の脚周り開口とが画成されている。物品では、コアの非存在領域に延びる胴周り用弾性部材が表面シートと裏面シートとの内面に固着され、コアの存在領域に延びる胴周り用弾性部材が裏面シートの内面に固着されている。物品は、胴周り用弾性部材の伸長応力を利用することで、着用者の胴周りを締め付けることができ、着用者の胴周りにおける物品のずれを防ぐことができる。そのような着用物品は、特開平９−８４８２６号公報と特開平１０−１２７６８９号公報とに開示されている。
【０００４】
【発明が解決しようとする課題】
前記公知の着用物品では、胴周り用弾性部材が収縮することによって前後胴周り域における表裏面シートに不規則な多数の襞や皺が形成される。物品では、着用者の胴周りと襞との間に間隙が形成されたとしても、その間隙が股下域から胴周り開口へ向かって縦方向へ規則正しく延びることはなく、間隙が胴周り開口へ向かう途中で途切れたり、間隙が胴周り方向へ延びることがあるので、物品の内部の湿気を間隙を介して胴周り開口から外部へ逃がすことができない。また、物品では、着用者の胴周りに当接して折れ曲がった襞や皺が着用者の肌を局所的に圧迫する場合があり、着用者に不快な刺激を与える。
【０００５】
本発明の課題は、物品内部の湿気を外部に物品の逃がすことができ、着用者に不快な刺激を与えることがないパンツ型の使い捨て着用物品を提供することにある。
【０００６】
【課題を解決するための手段】
前記課題を解決するための本発明の前提は、互いに対向する前後胴周り域およびそれら胴周り域の間に位置する股下域を画成するシート部材と、前記股下域を中心に前記前後胴周り域へ向かって延びる吸液性部材とから構成され、胴周り開口と、前記胴周り開口の下方に一対の脚周り開口とを有し、前記前後胴周り域の少なくとも一方を胴周り方向へ延びる複数条の胴周り用弾性部材が、前記胴周り開口の縁部と前記股下域との間を縦方向へ所与寸法離間して並ぶとともに、前記シート部材に伸長状態で取り付けられ、前記胴周り用弾性部材の収縮によって前記シート部材に多数の襞が形成されたパンツ型の使い捨て着用物品である。
【０００７】
前記前提における本発明の特徴として、前記襞は、前記シート部材が前記胴周り方向へ交互に起伏を繰り返すことにより形成され、前記襞が、前記胴周り開口から前記股下域へ向かって前記縦方向へ実質的に連続かつ前記胴周り用弾性部材と略直交して延びるとともに、前記胴周り方向へ略等間隔で並んでいることにある。
【０００８】
本発明は、以下の実施態様を有する。
（１）前記胴周り用弾性部材が、前記シート部材の起伏に沿って前記胴周り方向へ交互に起伏を繰り返し、前記胴周り用弾性部材が位置する前記襞の頂部から底部までの最大高さ寸法が、前記胴周り用弾性部材の間に延びる前記襞の頂部から底部までの最大高さ寸法よりも小さい。
（２）前記襞の頂部と底部とが、前記胴周り方向へ実質的に円弧を画いている。
（３）前記胴周り方向へ隣り合う前記襞の頂部の間の離間寸法が、３〜３０ｍｍの範囲にある。
（４）前記胴周り用弾性部材が位置する前記襞の頂部から底部までの前記最大高さ寸法が、１〜３ｍｍの範囲にあり、前記胴周り用弾性部材の間に延びる前記襞の頂部から底部までの前記最大高さ寸法が、３〜１０ｍｍの範囲にある。
（５）前記胴周り用弾性部材が、前記胴周り開口の縁部に略並行して延び、前記縦方向に隣り合う前記胴周り用弾性部材どうしの離間寸法が、３〜３０ｍｍの範囲にある。
（６）前記シート部材の前記胴周り用弾性部材を取り付けた部位における収縮率が、単位長さ当たり３５〜８０％の範囲にある。
（７）前記シート部材が、肌当接側に位置する透液性表面シートと、肌非当接側に位置する不透液性裏面シートとから形成され、前記吸液性部材が、前記表面シートと前記裏面シートとの間に介在し、前記吸液性部材の非存在領域では、前記襞が前記胴周り開口から前記股下域へ向かって前記縦方向へ実質的に連続かつ前記胴周り用弾性部材と略直交して延びるとともに、前記胴周り方向へ略等間隔で並んでいる。
【０００９】
【発明の実施の形態】
添付の図面を参照し、本発明に係るパンツ型の使い捨て着用物品の詳細を説明すると、以下のとおりである。
【００１０】
図１，２は、使い捨て着用物品１Ａの部分破断斜視図と、横方向と縦方向とヘ伸長させた状態で示すパンツ型に成形する以前の物品１Ａの部分破断平面図とであり、図３は、図１のＡ−Ａ線矢視断面図である。図１では、胴周り方向を矢印Ｘ、縦方向を矢印Ｙで示し、脚周り方向を矢印Ｚで示す。図２では、横方向を矢印Ｘで示し、縦方向を矢印Ｙで示す。なお、表面シート１３と裏面シート１４との内面とは、コア１５に対向する面をいい、それらシート１３，１４の外面とは、コア１５に非対向の面をいう。
【００１１】
物品１Ａは、シート部材２と、シート部材２の内側に取り付けられた吸液性部材１２とから構成されている。物品１Ａでは、シート部材２が互いに対向する前後胴周り域Ｍ１，Ｍ３とそれら胴周り域Ｍ１，Ｍ３の間に位置する股下域Ｍ２とを画成している。
【００１２】
物品１Ａでは、シート部材２の前後胴周り域Ｍ１，Ｍ３における胴周り側部３が合掌状に重なり合い、胴周り側部３が縦方向へ間欠的に並ぶ多数の熱融着線４を介して固着されている。物品１Ａには、胴周り開口５とその下方に一対の脚周り開口６とが画成されている。
【００１３】
シート部材２は、略同形同大であって実質的に非伸縮性かつ疎水性の繊維不織布７，８が互いに重なり合う複合不織布であり、その平面形状が砂時計型を呈する。シート部材２の前後胴周り域Ｍ１，Ｍ３には、胴周り方向へ延びる複数条の胴周り用弾性部材９が伸長状態で取り付けられている。
【００１４】
胴周り用弾性部材９は、胴周り開口５の縁部５ａと股下域Ｍ２との間を縦方向へ所与寸法離間して並んでいる。胴周り用弾性部材９は、胴周り開口５の縁部５ａに略並行して延びている。胴周り用弾性部材９は、シート部材２を形成する不織布７，８の間に介在し、それら不織布７，８に固着されている。
【００１５】
シート部材２の前後胴周り域Ｍ１，Ｍ３には、胴周り用弾性部材９の収縮によって胴周り方向へ所与寸法離間して並ぶ多数の襞１０が形成されている。襞１０は、シート部材２が胴周り方向へ交互に起伏を繰り返すことにより形成されている。襞１０は、胴周り開口５から股下域Ｍ２へ向かって縦方向へ連続かつ胴周り用弾性部材９と略直交して延びるとともに、縦方向へ略直状に延びている。襞１０は、胴周り方向へ略等間隔で並んでいる。
【００１６】
脚周り開口６の縁部６ａには、複数条の脚周り用弾性部材１１が伸長状態で取り付けられている。脚周り用弾性部材１１は、前胴周り域Ｍ１から股下域Ｍ２へ向かって実質的に弧を画いて延びる弾性部材１１ａと、後胴周り域Ｍ３から股下域Ｍ２へ向かって実質的に弧を画いて延びる弾性部材１１ｂとから形成されている。
【００１７】
それら弾性部材１１ａ，１１ｂは、脚周り開口６の縁部６ａに沿って脚周り方向へ延びる両側部分１１ｃと、股下域Ｍ２を横切る中央部分１１ｄとを有し、それら弾性部材１１ａ，１１ｂの中央部分１１ｄが股下域Ｍ２において交差している。それら弾性部材１１ａ，１１ｂは、シート部材２を形成する不織布７，８の間に介在し、それら不織布７，８に固着されている。
【００１８】
吸液性部材１２は、肌当接側に位置する透液性表面シート１３と、肌非当接側に位置する不透液性裏面シート１４と、表面シート１３と裏面シート１４との間に介在してそれらシート１３，１４の少なくとも一方の内面に接合された吸液性コア１５とから構成されている。
【００１９】
吸液性部材１２は、股下域Ｍ２を中心に前後胴周り域Ｍ１，Ｍ３へ向かって延びている。吸液性部材１２は、前胴周り域Ｍ１に位置する前部ｍ１と、後胴周り域Ｍ３に位置する後部ｍ３と、股下域Ｍ２に位置する中間部ｍ２とを有する。吸液性部材１２では、前後部ｍ１，ｍ３の一部がシート部材２の前後胴周り域Ｍ１，Ｍ３にホットメルト型接着剤（図示せず）を介して固着され、中間部ｍ２がシート部材１２の股下域Ｍ２にホットメルト接着剤（図示せず）を介して固着されている。
【００２０】
吸液性部材１２では、コア１５の両側縁１５ａから外側へ表面シート１３と裏面シート１４との側部１３ａ，１４ａが延びている。側部１３ａ，１４ａでは、それらシート１３，１４が互いに重なり合い、それらシート１３，１４の内面どうしが固着されている。側部１３ａ，１４ａには、脚周り方向へ延びる複数条の弾性部材１６が伸長状態で取り付けられている。弾性部材１６は、裏面シート１４の一部に被覆された状態で裏面シート１４に固着されている。吸液性部材１２の前後部ｍ１，ｍ３では、それらシート１３，１４の側部１３ａ，１４ａが表面シート１３の外面の側へ向かって折曲され、側部１３ａ，１４ａが表面シート１３の外面に固着されている。吸液性部材１２では、弾性部材１６の収縮によって、吸液性部材１２の中間部ｍ２に延びるそれらシート１３，１４の側部１３ａ，１４ａが表面シート１３の上方へ起立し、排泄物に対する障壁を形成する。
【００２１】
吸液性部材１２では、コア１５の両端縁１５ｂから外側へ表面シート１３と裏面シート１４との端部１３ｂ，１４ｂが延びている。端部１３ｂ，１４ｂでは、それらシート１３，１４が互いに重なり合い、それらシート１３，１４の内面どうしが固着されている。
【００２２】
図２の平面図から図１の物品１Ａを作るには、吸液性部材１２を内側にした状態で、股下域Ｍ２を横切る横中心線Ｓで物品１Ａを折曲して前後胴周り域Ｍ１，Ｍ３を重ね合わせ、シート部材２の前後胴周り域Ｍ１，Ｍ３における胴周り側部３を固着する。
【００２３】
図４，５は、物品１Ａから切り取ったシート部材２の部分斜視図と、図４のＢ−Ｂ線矢視断面図とであり、図６，７は、図４のＣ−Ｃ線端面図と、図４のＤ−Ｄ線端面図とである。図４では、胴周り方向を矢印Ｘで示し、縦方向を矢印Ｙで示す。
【００２４】
襞１０は、肌非当接側に位置する頂部１０ａと、肌当接側に位置する底部１０ｂとを有する。襞１０の頂部１０ａと底部１０ｂとは、縦方向へ略直状に延びるとともに、胴周り方向へ実質的に円弧を画いている。胴周り用弾性部材９は、シート部材２の起伏に沿って胴周り方向へ交互に起伏を繰り返している。
【００２５】
物品１Ａでは、それを着用したときに、シート部材２に形成された襞１０の底部１０ｂが着用者の胴周りに当接し、襞１０の頂部１０ａが着用者の胴周りから離間する。物品１Ａでは、襞１０の頂部１０ａと着用者の胴周りとの間に間隙１７が形成され、その間隙１７が股下域Ｍ２から胴周り開口５へ向かって縦方向へ連続して略直状に延びるので、物品１Ａの内部の湿気を間隙１７を介して胴周り開口５から物品１Ａの外部へ逃がすことができる。
【００２６】
また、物品１Ａでは、襞１０が股下域Ｍ２から胴周り開口５へ向かって縦方向へ連続かつ略直状に延びるとともに、襞１０が胴周り方向へ略等間隔で規則正しく並んでいるので、着用者の胴周りに当接した襞１０が部分的に折れ曲がり難い。物品１Ａでは、それら襞１０がクッションとなり、襞１０が着用者の肌を局所的に圧迫することはない。
【００２７】
物品１Ａでは、襞１０の頂部１０ａと底部１０ｂとが胴周り方向へ向かって実質的に円弧を画いているので、襞１０の頂部１０ａと底部１０ｂとが尖形を呈する場合と比較し、襞１０の特に底部１０ｂが着用者の胴周りに当接したとしても、不快な刺激を与えることはない。
【００２８】
物品１Ａでは、胴周り用弾性部材９が位置する襞１０の頂部１０ａから底部１０ｂまでの最大高さ寸法Ｌ２が胴周り用弾性部材９の間に延びる襞１０の頂部１０ａから底部１０ｂまでの最大高さ寸法Ｌ３よりも小さい。ゆえに、物品１Ａでは、襞１０の頂部１０ａと底部１０ｂとが縦方向へわずかに起伏を繰り返している。物品１Ａでは、胴周り用弾性部材９が位置する襞１０の底部１０ｂが着用者の胴周りから離間し、胴周り用弾性部材９の間に延びる襞１０の底部１０ｂのみが着用者の胴周りに当接するので、物品１Ａの着用者の肌への接触面積を小さくすることができる。
【００２９】
物品１Ａでは、胴周り方向へ隣り合う襞１０の頂部１０ａの間の離間寸法Ｌ１が３〜３０ｍｍの範囲にある。離間寸法Ｌ１が３ｍｍ未満では、胴周り方向へ並ぶ襞１０の本数が必要以上に多くなり、襞１０の密度が高くなるので、前後胴周り域Ｍ１，Ｍ３におけるシート部材２の剛性が増し、シート部材２の柔軟性が低下する。離間寸法Ｌ１が３０ｍｍを超過すると、襞１０が倒伏し易く、襞１０が倒伏すると、襞１０の頂部１０ａと着用者の胴周りとの間に間隙１７が形成されない。
【００３０】
物品１Ａでは、胴周り用弾性部材９が位置する襞１０の頂部１０ａから底部１０ｂまでの最大高さ寸法Ｌ２が１〜３ｍｍの範囲にあり、胴周り用弾性部材９の間に延びる襞１０の頂部１０ａから底部１０ｂまでの最大高さ寸法Ｌ３が３〜１０ｍｍの範囲にある。高さ寸法Ｌ２が１ｍｍ未満では、襞１０の頂部１０ａと着用者の胴周りとの間に間隙１７が形成されない場合がある。高さ寸法Ｌ３が１０ｍｍを超過すると、物品１Ａを着用したときに、襞１０が嵩張って着用者に違和感を与える。
【００３１】
物品１Ａでは、縦方向に隣り合う胴周り用弾性部材９どうしの離間寸法Ｌ４が３〜３０ｍｍの範囲にある。離間寸法Ｌ４が３ｍｍ未満では、シート部材２に多数の縮緬皺が形成されてしまい、シート部材２に縦方向へ略直状に延びる襞１０を形成することができない。離間寸法Ｌ４が３０ｍｍを超過すると、それら胴周り弾性部材９の間に延びるシート部材２に襞１０を形成することができない場合がある。
【００３２】
物品１Ａでは、シート部材２の胴周り用弾性部材９を取り付けた部位における収縮率が単位長さ当たり３５〜８０％の範囲にある。単位長さ当たりの収縮率が３５％未満では、シート部材２に襞１０そのものを形成することができない場合がある。単位長さ当たりの収縮率が８０％を超過すると、シート部材２に高い密度の不規則な皺が形成されてしまい、シート部材２に縦方向へ連続かつ略直状に延びる襞１０を形成することができない。
【００３３】
図８，９は、他の実施の形態を示す使い捨て着用物品１Ｂの部分破断斜視図と、図８のＥ−Ｅ線端面図とであり、図１０は、図８のＦ−Ｆ線端面図である。図８では、胴周り方向を矢印Ｘ、縦方向を矢印Ｙで示し、脚周り方向を矢印Ｚで示す。
【００３４】
この物品１Ｂは、肌当接側に位置する透液性表面シート１８と、肌非当接側に位置する不透液性裏面シート１９と、それらシート１８，１９の間に介在する吸液性コア２０（吸液性部材）とから形成されている。コア２０は、それらシート１８，１９の少なくとも一方の内面に接合されている。
【００３５】
物品１Ｂは、互いに対向する前後胴周り域Ｍ１，Ｍ３と、それら胴周り域Ｍ１，Ｍ３の間に位置する股下域Ｍ２とを有する。物品１Ｂでは、表裏面シート１８，１９の前後胴周り域Ｍ１，Ｍ３における胴周り側部３が合掌状に重なり合い、胴周り側部３が縦方向へ間欠的に並ぶ多数の熱融着線４を介して固着されている。物品１Ｂには、胴周り開口５と一対の脚周り開口６とが画成されている。コア２０は、股下域Ｍ２を中心に前後胴周り域Ｍ１，Ｍ３に向かって延びている。物品１Ｂの前後胴周り域Ｍ１，Ｍ３には、胴周り方向へ延びる複数条の胴周り用弾性部材９が伸長状態で取り付けられている。
【００３６】
胴周り用弾性部材９は、胴周り開口５の縁部５ａと股下域Ｍ２との間を縦方向へ所与寸法離間して並んでいる。胴周り用弾性部材９は、胴周り開口５の縁部５ａに並行して延びている。胴周り用弾性部材９は、表面シート１８と裏面シート１９との間に介在している。コア２０の非存在領域Ｍ４に延びる胴周り用弾性部材９は、表面シート１８と裏面シート１９との内面に固着されている。コア２０の存在領域Ｍ５に延びる胴周り用弾性部材９は、裏面シート１９の内面に固着されている。
【００３７】
脚周り開口６の縁部６ａには、脚周り方向へ延びる複数条の脚周り用弾性部材２１が伸長状態で取り付けられている。脚周り用弾性部材２１は、表面シート１８と裏面シート１９との間に介在し、それらシート１８，１９の内面に固着されている。
【００３８】
前後胴周り域Ｍ１，Ｍ３におけるコア２０の非存在領域Ｍ４では、胴周り用弾性部材９の収縮によって表面シート１８と裏面シート１９とに胴周り方向へ所与寸法離間して並ぶ多数の襞１０が形成されている。襞１０は、表面シート１８と裏面シート１９とが胴周り方向へ交互に起伏を繰り返すことにより形成されている。領域Ｍ４では、襞１０が胴周り開口５から股下域Ｍ２へ向かって縦方向へ連続かつ胴周り用弾性部材９と直交して延びるとともに、縦方向へ略直状に延びている。襞１０は、胴周り方向へ略等間隔で並んでいる。襞１０は、その頂部１０ａと底部１０ｂとが胴周り方向へ実質的に円弧を画いている。コア２０の存在領域Ｍ５における裏面シート１９には、不規則な多数の襞２２が形成されている。
【００３９】
物品１Ｂの領域Ｍ４では、襞１０の頂部１０ａと着用者の胴周りとの間に形成された間隙１７が股下域Ｍ２から胴周り開口５へ向かって縦方向へ略直状に延びるので、物品１Ｂの内部の湿気を間隙１７を介して胴周り開口５から物品１Ｂの外部へ逃がすことができる。
【００４０】
物品１Ｂの領域Ｍ４では、図１のそれと同様に、胴周り用弾性部材９が表裏面シート１８，１９の起伏に沿って胴周り方向へ交互に起伏を繰り返している。領域Ｍ４では、胴周り用弾性部材９が位置する襞１０の頂部１０ａから底部１０ｂまでの最大高さ寸法Ｌ２が胴周り用弾性部材９の間に延びる襞１０の頂部１０ａから底部１０ｂまでの最大高さ寸法Ｌ３よりも小さい。領域Ｍ４では、襞１０の頂部１０ａと底部１０ｂとが縦方向へわずかに起伏を繰り返している。
【００４１】
領域Ｍ４では、胴周り用弾性部材９が位置する襞１０の頂部１０ａが着用者の胴周りから離間し、胴周り用弾性部材９の間に延びる襞１０の底部１０ｂが着用者の胴周りに当接するので、物品１Ｂの着用者の肌への接触面積を小さくすることができる。
【００４２】
物品１Ｂの領域Ｍ４における襞１０の離間寸法Ｌ１や最大高さ寸法Ｌ２，Ｌ３、胴周り用弾性部材９の離間寸法Ｌ４、表裏面シート１８，１９の胴周り用弾性部材９を取り付けた部位における収縮率は、図１のそれと同様である。
【００４３】
それら図示例の物品１Ａ，１Ｂでは、胴周り用弾性部材９が前胴周り域Ｍ１と後胴周り域Ｍ３とのうちの少なくとも一方に取り付けられていればよい。また、それら物品１Ａ，１Ｂでは、胴周り用弾性部材９が股下域Ｍ２に伸長状態で取り付けられていてもよい。それら物品１Ａ，１Ｂでは、胴周り用弾性部材９が胴周り開口５の縁部５ａに並行して延びている必要はない。
【００４４】
シート部材２を形成する不織布７，８または表裏面シート１３，１４は、それらが胴周り用弾性部材９を介して固着されていてもよく、また、それらが胴周り用弾性部材９を介して固着されるとともに、不織布７，８どうしまたは表裏面シート１３，１４どうしが部分的に固着されていてもよい。
【００４５】
胴周り用弾性部材９とシート部材２を形成する不織布７，８や表裏面シート１３，１４との固着には、ホットメルト型接着剤を使用することが好ましい。胴周り用弾性部材９と不織布７，８やシート１３，１４とのホットメルト型接着剤による固着には、接着剤をスパイラル状やスプレー状に塗布するパターンを適宜選択することができる。ただし、胴周り用弾性部材９を不織布７，８やシート１３，１４に確実に固着するには、胴周り用弾性部材９の全表面積に対する接着剤の塗工面積率が２０〜８０％の範囲にあることが好ましい。接着剤の塗工面積率が２０％未満では、胴周り用弾性部材９が不織布７，８やシート１３，１４から外れてしまう場合がある。接着剤の塗工面積率が８０％を超過すると、胴周り用弾性部材９の収縮が接着剤によって妨げられてしまう。
【００４６】
表面シート１３，１８には、親水性または疎水性の繊維不織布、または、微細な多数の開孔を有するプラスチックフィルムを使用することができる。裏面シート１４，１９には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。裏面シート１４，１９には、高い耐水性を有するメルトブローン法による繊維不織布を、高い強度を有しかつ柔軟性に富んだスパンボンド法による繊維不織布で挟んだ複合不織布を使用することもできる。
【００４７】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００４８】
図１の物品１Ａにおけるシート部材２には、疎水性繊維不織布を重ね合わせた複合不織布の他に、通気不透液性のプラスチックフィルムを重ね合わせた複合シート、または、疎水性繊維不織布と通気不透液性のプラスチックフィルムとを重ね合わせた複合シートのいずれかを使用することができる。
【００４９】
コア１５，２０は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア１５，２０は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００５０】
シート部材２を形成する不織布７，８の固着や表裏面シート１３，１４，１８，１９の固着、コア１５，２０の接合には、ホットメルト型接着剤による接着、または、ヒートシールやソニックシール等の熱による溶着手段を利用することができる。
【００５１】
【発明の効果】
本発明にかかるパンツ型の使い捨て着用物品によれば、シート部材に形成された襞の頂部と着用者の胴周りとの間に間隙が形成され、その間隙が股下域から胴周り開口へ向かって縦方向へ連続かつ略直状に延びるので、その内部の湿気を間隙を介して胴周り開口から物品の外部に逃がすことができる。また、この物品では、着用者の胴周りに当接した襞が折れ曲がり難く、それら襞がクッションとなるので、襞が着用者の肌を局所的に圧迫することはない。
【００５２】
胴周り用弾性部材が位置する襞の頂部から底部までの高さ寸法が胴周り用弾性部材の間に延びる襞の頂部から底部までの高さ寸法よりも小さい物品では、胴周り用弾性部材が位置する襞の底部が着用者の胴周りから離間し、胴周り用弾性部材の間に延びる襞の底部が着用者の胴周りに当接するので、物品の着用者の肌への接触面積を小さくすることができる。
【００５３】
襞の頂部と底部とが胴周り方向へ向かって実質的に円弧を画いている物品では、襞の頂部と底部とが尖形を呈する場合と比較し、襞の特に底部が着用者の胴周りに当接したとしても、不快な刺激を与えることがない。
【図面の簡単な説明】
【図１】使い捨て着用物品の部分破断斜視図。
【図２】パンツ型に成形する以前の物品の部分破断展開平面図。
【図３】図１のＡ−Ａ線矢視断面図。
【図４】シート部材の部分斜視図。
【図５】図４のＢ−Ｂ線矢視断面図。
【図６】図４のＣ−Ｃ線端面図。
【図７】図４のＤ−Ｄ線端面図。
【図８】他の実施の形態を示す使い捨て着用物品の部分破断斜視図。
【図９】図８のＥ−Ｅ線端面図。
【図１０】図８のＦ−Ｆ線端面図。
【符号の説明】
１Ａ，１Ｂ    パンツ型の使い捨て着用物品
２            シート部材
５            胴周り開口
６            脚周り開口
９            胴周り用弾性部材
１０            襞
１０ａ          頂部
１０ｂ          底部
１２            吸液性部材
１８            透液性表面シート
１９            不透液性裏面シート
２０            吸液性コア
Ｌ１            離間寸法
Ｌ２            最大高さ寸法
Ｌ３            最大高さ寸法
Ｌ４            離間寸法
Ｍ１            前胴周り域
Ｍ２            股下域
Ｍ３            後胴周り域
Ｍ４            非存在領域


【手続補正２】
【補正対象書類名】図面
【補正対象項目名】図２
【補正方法】変更
【補正の内容】
【図２】
2002360632.tif 000001
【手続補正３】
【補正対象書類名】図面
【補正対象項目名】図３
【補正方法】変更
【補正の内容】
【図３】
2002360632.tif 000002
【手続補正４】
【補正対象書類名】図面
【補正対象項目名】図６
【補正方法】変更
【補正の内容】
【図６】
2002360632.tif 000003
【手続補正５】
【補正対象書類名】図面
【補正対象項目名】図８
【補正方法】変更
【補正の内容】
【図８】
2002360632.tif 000004
【手続補正６】
【補正対象書類名】図面
【補正対象項目名】図９
【補正方法】変更
【補正の内容】
【図９】
2002360632.tif 000005
【手続補正７】
【補正対象書類名】図面
【補正対象項目名】図１０
【補正方法】変更
【補正の内容】
【図１０】
2002360632.tif 000006